(57)【要約】      （修正有）【課題】装飾効果を兼ね備えた芳香拡散装置の構造を提供する。【解決手段】受け皿１０、基座２０、加熱体及び台座４０を含み、該受け皿は陶磁材料で作られた開放状のお椀形本体であり、表面に複数のサークル状のリブ１５を具有する。該基座２０を受け皿１０の底面１３に設置し、受け皿の底面との間に中空の収納室２１を形成し、底に加熱体を設置することで、熱エネルギーを受け皿に伝える。該受け皿の収納槽に芳香液体を注入したあと、芳香液体の上に新鮮の或いは乾燥のハーブや花びらなどの植物を装飾品として漂わせる。同時に香りの調合及び掃除がしやすいほか、サークル状のリブにより、該受け皿の剛性を高め、受け皿全体の強度を強化し、破裂しにくい。【選択図】図３
0003157555.tif 000002
【実用新案登録請求の範囲】
【請求項１】
受け皿、基座、加熱体、台座を含み、
受け皿は陶磁材料で作られたお椀形の本体であり、液体を入れる収納槽及び広い開放口と底面を含むほか、サークル状のリブを含み、これらのリブはそれぞれ該受け皿の収納槽の表面及び底面に設置し、
基座は該受け皿の底面に設置し、該受け皿の底面との間に中空の収納室を形成し、該基座は二つの橋接続部を含み、該二つの橋接続部は互いに対応し、及び、
加熱体は該基座の中空収納室に設置し、該受け皿の底面に接触することで、熱エネルギーを受け皿に伝え、及び
該台座を該基座の底部に設置し、電源を設置することで、電気を該加熱体に供給して熱エネルギーが発生し、受け皿を加熱することを特徴とする装飾効果を兼ね備えた芳香拡散装置の構造。
【請求項２】
前記受け皿の収納槽は更に芳香液体及び少なくともハーブ或いは花びらを入れることができ、該ハーブ或いは花びらを該芳香液体に漂わせるだけで、雰囲気のある装飾効果が生まれることを特徴とする請求項１記載の装飾効果を兼ね備えた芳香拡散装置の構造。
【請求項３】
本考案は更に固定部品及び螺設部品を含み、該固定部品は該基座の二つの橋接続部を跨いで設置し、該螺設部品は該台座の底部より上向きに延伸し、該固定部品を該橋接続部の上に固定し、該螺設部品の先端は更に該加熱体と抵触することを特徴とする請求項１記載の装飾効果を兼ね備えた芳香拡散装置の構造。
【請求項４】
前記加熱体はコンクリート電気抵抗とすることを特徴とする請求項１記載の装飾効果を兼ね備えた芳香拡散装置の構造。
【考案の詳細な説明】
【技術分野】
【０００１】
本考案は芳香拡散装置の構造に関する。
【背景技術】
【０００２】
美しいものに対する意識が高まるにつれ、生活のスタイルにこだわって芳香剤を使用するユーザーは、生活空間に好みの香りを取り入れるほか、同時に好みの装飾品を陳列したいと希望する。
【０００３】
香りは既に世界のホテルチェーンがブランドを打ち立てるサービス方法の一つである。ホテルに入った瞬間、様々なものが消費イメージを左右するため、ホテルは豪華なビジュアル装飾や、エアコンシステムを使ってミックスした香りを拡散する。例えば夏にはチャノキやミントなど、爽やかな香りを使い、冬はオレンジなど温かみのある香りを使う。しかし、ホテルは広いスペースの公共の場であり、アロマオイルの粘着性のある残留物が残るエアコンパイプの掃除がしにくい。よって、大型の芳香装置及び装飾品は一般家庭などの狭いスペースに適用しない。
【０００４】
従来技術の小型芳香拡散装置の多くは、陶磁器で作られている。壁の厚い陶磁器だと熱を伝えにくく、薄いと破裂しやすい。また、陶磁器の芳香拡散装置の開口口は一般の中低温の加熱器に合わせて狭く作っているため、使い始める際、香りが空間に広がりにくい。
【０００５】
従来技術の芳香拡散装置は掃除しにくい問題点を持つほか、生活スペースに陳列しても、情調の変化をもたらすものではないため、更なる改善が必要であった。
【先行技術文献】
【特許文献】
【０００６】
【特許文献１】登録実用新案第３１４４６４４号公報
【考案の概要】
【考案が解決しようとする課題】
【０００７】
前記従来技術の欠点を解決するため、本考案は装飾効果を兼ね備えた芳香拡散装置を提供することを主な課題とする。
【課題を解決するための手段】
【０００８】
上述の目的を解決するために、本考案は装飾効果を兼ね備えた芳香拡散装置を提供するものであり、受け皿、基座及び加熱台と台座を含む。受け皿は陶磁の材質で作られたお椀形であり、液体を入れる収納槽と広い開口口及び底面を含む。該受け皿は複数のサークル状のリブを含み、該リブはそれぞれ該受け皿の収納槽の表面及び底面に突出して設置している。基座は該受け皿の底面に設置し、受け皿の底面との間に中空の収納室を形成する。該基座は受け皿の下に設置し、受け皿の底面と中空の収納室を形成する。該基座は二つの橋接続部を含み、該二つの橋接続部は互いに対応する。加熱体はコンクリートの電気抵抗として加熱体を該基座の中空収納室に設置し、該受け皿の底面に接触することで、熱エネルギーを受け皿に伝える。台座を該基座の底部に設置し、電源を設置することで、電気を該加熱体に供給して熱エネルギーが発生し、受け皿を加熱する。
【０００９】
本考案は装飾効果を兼ね備えた芳香拡散装置であり、開放状の受け皿及び、該受け皿に設置するサークル状のリブの設置により、美しい装飾品としてだけでなく、掃除しやすい構造であるほか、該開放状の受け皿の収納槽は、芳香液体の注入、混合及び芳香気体の放出がしやすい。該陶磁器のお椀形の受け皿外壁は、サークル状のリブを使うことにより、受け皿の剛性を高めるほか、全体の強度を強化することで、破裂しにくい。また、保温効果が高く、省エネにも繋がる。該受け皿１０にある複数のサークル状リブ１５は受け皿１０の収納槽１１の表面及び底面に水の波紋のように突出して設置し、本考案の美しさを際立たせる。
【００１０】
更に、該開放状の受け皿収納槽の設置により、芳香液体を注入した後でも、芳香液体の上に新鮮の或いは乾燥したハーブや花びらなどの植物を飾りとして入れると、更に美しさを際立たせる。更に芳香液体とハーブ、花びらの匂いは個人の好みで調合する。本考案はコンクリートの電気抵抗を用いて、摂氏約１５度から６０度の低温で該芳香液体を加熱するため、芳香液体が昇華し、素早くハーブ或いは花びらを溶かすことはない。
【００１１】
本考案の装飾効果を兼ね備えた芳香拡散装置は、固定部品及び螺設部品を含み、該固定部品は該基座の二つの橋接続部の上を跨いで設置し、該螺設部品は台座の底部より上向きに延伸し、該固定部品を該橋接続部に螺設する。該螺設部品の先端を該加熱体に抵触する。該基座の各橋接続部の中間に浅い槽を設け、該固定部品の両端は各該橋接続部の浅い槽に設置する。該橋接続部と台座及び受け皿を一体成型することで、台座の強度を増す。衝撃によって破裂するのを避けると同時に絶縁することができ、導熱導電を避ける。
【考案の効果】
【００１２】
本考案は陶磁材料で作られたお椀形の受け皿及び、該受け皿の収納槽の表面及び底面に突出してサークル状のリブを設置することで、受け皿の強度を増し、破裂しにくい上、アロマオイルと接触する表面積が広くなるため、熱を伝えやすく、保温効果が高く、加熱揮発効果に優れる。該受け皿１０にある複数のサークル状リブ１５は受け皿１０の収納槽１１の表面及び底面に水の波紋のように突出して設置し、本考案の美しさを際立たせる。
【図面の簡単な説明】
【００１３】
【図１】本考案の仰視分解立体図である。
【図２】本考案の俯瞰分解立体図である。
【図３】本考案の組立分解図である。
【図４】本考案の使用略図であり、液体及び花びらを入れた使用状況である。
【図５】本考案の使用略図であり、液体及びハーブを入れた使用状況である。
【考案を実施するための形態】
【００１４】
図１、図２に示すのは、本考案の装飾効果のある芳香拡散装置の実施例であり、受け皿１０、基座２０、加熱体３０及び台座４０を含む。
【００１５】
図３に示すように、受け皿１０は陶磁材料で作られたお椀形である。該受け皿１０は液体を入れる収納槽１１、広い開口口１２及び底面１３を含む。該受け皿１０は更に複数のサークル状のリブ１５を含み、それらのリブ１５はそれぞれ受け皿１０の収納槽１１の表面及び底面１３に突出して設置している。該サークル状のリブにより受け皿の強度を増すため、壁の厚みを厚くしなくてもよく、破裂しにくい。また、収納槽１１内においてアロマオイルを加熱して接触する表面積は、該サークル状のリブ１５により、表面積が広くなるため、熱を伝動しやすく、保温効果が高く、加熱揮発効果が優れる。また、サークル状のリブ１５を受け皿１０の収納槽１１の表面及び底面１３に水の波紋のように突出して設置し、本考案の美しさを際立たせる。
【００１６】
基座２０は受け皿１０と同じ材質を使用し、底面１３と一体化して設置し、該受け皿１０の底面１３で中空の収納室２１を形成する。該基座２０は二つの橋接続部２２を含み、互いに対応する。また、該橋接続部２２は更に二つの凸ブロック２２１を含み、該凸ブロック２２１の中央に浅い槽２２２を形成する。加熱体３０の最良実施例はコンクリートの電気抵抗である。該加熱体３０を該基座２０の中空収納室２１に設置し、該受け皿１０の底面１３に接触することで、熱エネルギーを該受け皿１０に伝える。台座４０を該基座２０の底部に設置する。該台座４０は更に電源４１及び孔４２を含み、該加熱体３０に電源４１を供給することで、熱エネルギーが発生し、該受け皿１０を加熱する。該電源４１はコンセントとする。
【００１７】
該基座２０は更に電源孔２３を含み、該電源孔２３は基座１０の外壁面から該中空収納室２１まで連通し、該台座４０の電源４１に対応する。
【００１８】
最良実施例では、該加熱体３０は扁平な長方形を呈し、二本のピン３１を含む。該ピン３１は電源４１と電気接続し、加熱体３０の広い面３２を該受け皿１０の底面１３と抵触する。
【００１９】
本考案は更に固定部品５０及び螺設部品６０を含む。固定部品５０は金属片であり、本実施例では鉄を用いる。螺設部品６０は金属のネジである。該固定部品５０の両端を該基座２０の二つの橋接続部２２の浅い槽２２２を跨いで設置する。該螺設部品６０は台座４０の孔４２及び固定部品５０の孔５１に挿入することで、該固定部品５０を各橋接続部２２の浅い槽２２２に固定する。螺設部品６０の先端を該加熱体３０に抵触する。
【００２０】
螺設部品６０により固定部品５０を加熱体３０と定置付けした後、更にナットを該螺設部品６０の末端に設置することで、ナット７０が台座４０の底面と接触し、定置付けする。
【００２１】
また、該台座４０は更に複数の足を含み、該足４３は等間隔に該台座の底面に設置することで、本体の底面を上げるほか、受け皿１０が倒れない。
【００２２】
従来技術は掃除しにくい点や、陶磁器製の芳香拡散装置本体壁が厚過ぎて加熱体に伝える熱が芳香液体への伝導効果が悪い、或いは陶磁器製の芳香拡散装置の本体壁が薄すぎて使用する際に破裂しやすい。また、陶磁器製の芳香拡散装置の開口口が狭く、一般の中低温の加熱器を合わせると、使い始める際、芳香気体が空間に広がりにくいなどの問題があった。本考案の装飾効果を兼ね備えた芳香拡散装置は、開放状の受け皿１０及び該受け皿１０に設置するサークル状のリブ１５を具有することで、表面積が広くなる。美しい装飾品となるだけでなく、掃除しやすい。該開放状の受け皿の収納槽１１により、芳香液体の注入、混合及び芳香気体が拡散しやすい。該陶磁製のお椀形受け皿１０の外壁は、該サークル状リブ１５により、受け皿１０の剛性を高めるほか、受け皿全体の強度を強化し、破裂しにくい。また、保温効果が高く、省エネにも繋がる。該受け皿１０にある複数のサークル状リブ１５は受け皿１０の収納槽１１の表面及び底面に水の波紋のように突出して設置し、本考案の美しさを際立たせる。本実施例のコンクリート電気抵抗によって発生する熱エネルギーは直接受け皿１０に伝えるため、安全であるほか、お椀形の開放状の受け皿１０に、直接芳香液体を注入することができ、香りの調合をしやすい。また、芳香液体の上に新鮮の或いは乾燥したハーブや花びらを飾りとして入れると、更に美しさが際立たせる。更に開放状の受け皿は香りが広がりやすく、掃除しやすい。
【００２３】
本考案はコンクリートの電気抵抗を使い、低温恒温感熱の方法を用いて摂氏約１５度から６０度の間で加熱するため、芳香液体が昇華し、素早くハーブ或いは花びらを溶かすことはない。
【００２４】
橋接続部２２、基座２０と受け皿１０は陶磁器で一体成型したものである。陶磁器台座及び全体の堅さを増すことで、外力の衝撃を受けても破裂するのをできるだけ避けることができる。また同時に絶縁でき、導熱導電を避ける。
【００２５】
本実施例はコンクリート電気抵抗を用いて熱エネルギーを提供する。該受け皿１０と基座２０は安定した中低温を維持し、火傷をすることがないため、安全である。また、アロマオイル或いはハーブなど、新鮮の或いは乾燥した芳香植物を中温で加熱すると、匂いを放出し、素早く溶けることがない。
【００２６】
図４に示すように、使用時液体を受け皿１０の収納槽１１に注入した後、液体の上に花びら８０或いは図５のようにハーブ９０を入れると、匂いが拡散して嗅覚で香りを楽しむほか、花びらやハーブ或いはミントの葉など、特殊な香りのする植物を受け皿１０の中に入れることで、更に美しさを際立たせることができ、ユーザー好みの香りを合わせることで、心身ともに十分にリラックスすることができる。
【００２７】
アロマオイルにハーブ植物を添加すると、特殊な効果が生まれる。例えばラベンダーオイルにバラの花びらをプラスして加熱すると、発生する香りは、気管支や皮膚、美容に良いと言われる。
【００２８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２９】
１０  受け皿
１１  収納槽
１２  開放口
１３  底面
１５  リブ
２０  基座
２１  中空収納室
２２  橋接続部
２２１  凸ブロック
２２２  浅い槽
２３  電源孔
３０  加熱体
３１  導電端
３２  広い面
４０  台座
４１  電源
４２  孔
４３  足
５０  固定部品
５１  孔
６０  螺設部品
７０  ナット
８０  花びら
９０  ハーブ
【図１】
0003157555.tif 000003
【図２】
0003157555.tif 000004
【図３】
0003157555.tif 000005
【図４】
0003157555.tif 000006
【図５】
0003157555.tif 000007
【手続補正書】
【提出日】平成21年12月4日(2009.12.4)
【手続補正１】
【補正対象書類名】実用新案登録請求の範囲
【補正対象項目名】請求項３
【補正方法】変更
【補正の内容】
【請求項３】
固定部品及び螺設部品を含み、該固定部品は該基座の二つの橋接続部を跨いで設置し、該螺設部品は該台座の底部より上向きに延伸し、該固定部品を該橋接続部の上に固定し、該螺設部品の先端は更に該加熱体と抵触することを特徴とする請求項１記載の装飾効果を兼ね備えた芳香拡散装置の構造。